【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  コンテンツを記録媒体に記録する情報記録装置において、
前記コンテンツを前記記録媒体に記録する記録手段と、
情報処理端末に対して前記記録媒体の記録容量に関する情報を通知する通知手段と、
前記通知手段による通知に応じて前記情報処理端末から送信される指令を受信する受信手段と、
前記受信手段により受信された前記指令に基づいて、前記記録媒体が記録しているコンテンツを処理する処理手段と
を含むことを特徴とする情報記録装置。
【請求項２】  前記通知手段は、前記記録媒体に記録されている前記コンテンツのタイトルを通知し、
前記処理手段は、前記指令に基づいて、指定された前記記録媒体に記録されている前記コンテンツを消去する
ことを特徴とする請求項１に記載の情報記録装置。
【請求項３】  前記コンテンツの前記記録媒体への記録を予約する予約手段と、
前記予約手段により予約された前記コンテンツを前記記録媒体に記録するための空き容量を判定する判定手段をさらに備え、
前記通知手段は、前記判定手段による判定結果に基づいて、前記通知を行う
ことを特徴とする請求項１に記載の情報記録装置。
【請求項４】  前記予約手段は、取得された前記コンテンツの中から、指定されたジャンルの全ての前記コンテンツを検索し、前記記録媒体に記録させるように予約する
ことを特徴とする請求項３に記載の情報記録装置。
【請求項５】  コンテンツを記録媒体に記録する情報記録装置の情報記録方法において、
前記コンテンツを前記記録媒体に記録する記録ステップと、
情報処理端末に対して前記記録媒体の記録容量に関する情報を通知する通知ステップと、
前記通知ステップの処理による通知に応じて前記情報処理端末から送信される指令を受信する受信ステップと、
前記受信ステップの処理により受信された前記指令に基づいて、前記記録媒体が記録しているコンテンツを処理する処理ステップと
を含むことを特徴とする情報記録方法。
【請求項６】  コンテンツを記録媒体に記録する情報記録装置のプログラムにおいて、
前記コンテンツを前記記録媒体に記録する記録ステップと、
情報処理端末に対して前記記録媒体の記録容量に関する情報を通知する通知ステップと、
前記通知ステップの処理による通知に応じて前記情報処理端末から送信される指令を受信する受信ステップと、
前記受信ステップの処理により受信された前記指令に基づいて、前記記録媒体が記録しているコンテンツを処理する処理ステップと
を含むことを特徴とするコンピュータが読み取り可能なプログラムが記録されている記録媒体。
【請求項７】  コンテンツを記録媒体に記録する情報記録装置を前記ネットワークを介して制御する情報処理装置と接続される情報処理端末において、
前記情報記録装置の前記記録媒体における前記コンテンツの記録に対する空き容量が不足するとき前記情報記録装置が発生する通知を受信する受信手段と、
前記受信手段により受信された通知を表示する表示手段と、
前記表示手段により表示された通知に基づいて、前記記録媒体に対する前記コンテンツの新たな記録の制御を指令する指令手段と、
前記指令手段による指令を前記情報記録装置に送信する送信手段と
を含むことを特徴とする情報処理端末。
【請求項８】  前記表示手段は、前記記録媒体に記録されている前記コンテンツのタイトルを表示し、
前記指令手段は、前記表示手段に表示されたタイトルの中から、消去するタイトルを指令する
ことを特徴とする請求項７に記載の情報処理端末。
【請求項９】  前記受信手段は、前記情報記録装置が発生する通知を、前記情報処理装置を介して受信し、
前記送信手段は、前記指令を前記情報処理装置を介して前記情報記録装置に送信する
ことを特徴とする請求項７に記載の情報処理端末。
【請求項１０】  コンテンツを記録媒体に記録する情報記録装置を前記ネットワークを介して制御する情報処理装置と接続される情報処理端末の情報処理方法において、
前記情報記録装置の前記記録媒体における前記コンテンツの記録に対する空き容量が不足するとき前記情報記録装置が発生する通知を受信する受信ステップと、
前記受信ステップの処理により受信された通知を表示する表示ステップと、
前記表示ステップの処理により表示された通知に基づいて、前記記録媒体に対する前記コンテンツの新たな記録の制御を指令する指令ステップと、
前記指令ステップの処理による指令を前記情報記録装置に送信する送信ステップと
を含むことを特徴とする情報処理方法。
【請求項１１】  コンテンツを記録媒体に記録する情報記録装置を前記ネットワークを介して制御する情報処理装置と接続される情報処理端末のプログラムにおいて、
前記情報記録装置の前記記録媒体における前記コンテンツの記録に対する空き容量が不足するとき前記情報記録装置が発生する通知を受信する受信ステップと、
前記受信ステップの処理により受信された通知を表示する表示ステップと、
前記表示ステップの処理により表示された通知に基づいて、前記記録媒体に対する前記コンテンツの新たな記録の制御を指令する指令ステップと、
前記指令ステップの処理による指令を前記情報記録装置に送信する送信ステップと
を含むことを特徴とするコンピュータが読み取り可能なプログラムが記録されている記録媒体。
【請求項１２】  コンテンツを記録媒体に記録する情報記録装置と情報処理端末との間に位置し、前記情報記録装置を前記ネットワークを介して制御する情報処理装置において、
前記情報記録装置から、前記記録媒体における前記コンテンツの記録に対する空き容量が不足するとき発生される通知を受信する第１の受信手段と、
前記第１の受信手段により前記通知が受信されたとき、前記情報処理端末にその旨を通知する通知手段と、
前記通知手段による通知に基づく前記情報処理端末からの指令を受信する第２の受信手段と、
前記第２の受信手段により受信された指令に基づいて、前記ネットワークを介して前記情報記録装置に対して、前記記録媒体に対する前記コンテンツの新たな記録を制御する信号を送信する送信手段と
を含むことを特徴とする情報処理装置。
【請求項１３】  前記通知手段は、前記記録媒体に記録されている前記コンテンツのタイトルを通知し、
前記送信手段は、前記指令に基づいて、指定された前記記録媒体に記録されている前記コンテンツを消去させる信号を送信する
ことを特徴とする請求項１２に記載の情報処理装置。
【請求項１４】  コンテンツを記録媒体に記録する情報記録装置と情報処理端末との間に位置し、前記情報記録装置を前記ネットワークを介して制御する情報処理装置の情報処理方法において、
前記情報記録装置から、前記記録媒体における前記コンテンツの記録に対する空き容量が不足するとき発生される通知を受信する第１の受信ステップと、
前記第１の受信ステップの処理により前記通知が受信されたとき、前記情報処理端末にその旨を通知する通知ステップと、
前記通知ステップの処理による通知に基づく前記情報処理端末からの指令を受信する第２の受信ステップと、
前記第２の受信ステップの処理により受信された指令に基づいて、前記ネットワークを介して前記情報記録装置に対して、前記記録媒体に対する前記コンテンツの新たな記録を制御する信号を送信する送信ステップと
を含むことを特徴とする情報処理方法。
【請求項１５】  コンテンツを記録媒体に記録する情報記録装置と情報処理端末との間に位置し、前記情報記録装置を前記ネットワークを介して制御する情報処理装置のプログラムにおいて、
前記情報記録装置から、前記記録媒体における前記コンテンツの記録に対する空き容量が不足するとき発生される通知を受信する第１の受信ステップと、
前記第１の受信ステップの処理により前記通知が受信されたとき、前記情報処理端末にその旨を通知する通知ステップと、
前記通知ステップの処理による通知に基づく前記情報処理端末からの指令を受信する第２の受信ステップと、
前記第２の受信ステップの処理により受信された指令に基づいて、前記ネットワークを介して前記情報記録装置に対して、前記記録媒体に対する前記コンテンツの新たな記録を制御する信号を送信する送信ステップと
を含むことを特徴とするコンピュータが読み取り可能なプログラムが記録されている記録媒体。